【手続補正書】
【提出日】平成15年11月13日(2003.11.13)
【手続補正１】
【補正対象書類名】明細書
【補正対象項目名】発明の名称
【補正方法】変更
【補正の内容】
【発明の名称】画像配信システム、画像配信装置及び記録媒体


【手続補正２】
【補正対象書類名】明細書
【補正対象項目名】特許請求の範囲
【補正方法】変更
【補正の内容】
【特許請求の範囲】
【請求項１】
複数の場所に設置され且つ携帯端末に画像を送信する画像送信端末と、前記画像送信端末にネットワークを介して接続される画像配信装置とからなる画像配信システムであって、
前記画像送信端末は、前記携帯端末に画像を送信する画像送信手段と、前記画像送信手段が送信した画像に対応する識別情報を前記画像配信装置に送信する識別情報送信手段と、を備え、
前記画像配信装置は、前記識別情報に対応する課金情報を記憶する記憶手段と、前記画像送信端末から前記識別情報を受信すると、前記識別情報に対応する前記課金情報を更新する更新手段と、
を備えることを特徴とする画像配信システム。
【請求項２】
複数の場所に設置され且つ携帯端末に画像を送信する画像送信端末にネットワークを介して接続される画像配信装置であって、
画像の識別情報に対応する課金情報を記憶する記憶手段と、
前記画像送信端末が前記携帯端末に画像を送信した際に前記画像送信端末から送信される画像の識別情報を受信すると、前記識別情報に対応する前記課金情報を更新する課金情報更新手段と、
を備えることを特徴とする画像配信装置。
【請求項３】
前記課金情報更新手段は、前記識別情報の受信回数に基づいて前記課金情報を更新することを特徴とする請求項２記載の画像配信装置。
【請求項４】
前記携帯端末のユーザに対応する画像収集情報を記憶する画像収集情報記憶手段と、
前記携帯端末から送信される画像収集情報を受信した際に、前記携帯端末のユーザ識別情報に対応する画像収集情報を更新する収集情報更新手段と、
前記画像収集情報記憶手段に記憶された前記画像収集情報の内容が予め決められた条件を満たした場合は、前記携帯端末のユーザに対して予め決められたサービス処理を実行する実行手段と、
を更に備えることを特徴とする請求項２記載の画像配信装置。
【請求項５】
前記実行手段は、予め決められた期間内に前記携帯端末から送信された前記画像収集情報が予め決められた個数になった場合は、前記サービス処理を実行することを特徴とする請求項４記載の画像配信装置。
【請求項６】
複数の場所に設置され且つ携帯端末に画像を送信する画像送信端末にネットワークを介して接続される画像配信装置を制御するためのコンピュータが実行可能なプログラムを格納した記録媒体であって、
前記画像送信端末により送信される画像の識別情報に対応する課金情報を記憶するためのプログラムコードと、
前記画像送信端末が前記携帯端末に画像を送信した際に前記画像送信端末から送信される画像の識別情報を受信すると、前記識別情報に対応する前記課金情報を更新するためのプログラムコードと、
を含むプログラムを格納したことを特徴とする記録媒体。
【手続補正３】
【補正対象書類名】明細書
【補正対象項目名】０００１
【補正方法】変更
【補正の内容】
【０００１】
【発明の属する技術分野】
本発明は、ネットワークを介して接続された画像送信端末を複数の場所に設置し、該画像送信端末から携帯情報端末に送信された画像を該携帯情報端末に受信させる画像配信システム、画像配信装置及び記録媒体に関する。


【手続補正４】
【補正対象書類名】明細書
【補正対象項目名】０００６
【補正方法】変更
【補正の内容】
【０００６】
本発明の課題は、宣伝広告資料，名所旧跡のスタンプ画像等の画像を配布し、収集することを電子化してシステム化することにより、画像提供側は効率的に画像を配信できると共に、利用者が容易且つ効率的に画像を収集可能な画像配信システム、画像配信装置及び記録媒体を提供することである。


【手続補正５】
【補正対象書類名】明細書
【補正対象項目名】０００７
【補正方法】変更
【補正の内容】
【０００７】
【課題を解決するための手段】
請求項１記載の発明は、複数の場所に設置され且つ携帯端末に画像を送信する画像送信端末と、前記画像送信端末にネットワークを介して接続される画像配信装置とからなる画像配信システムであって、前記画像送信端末は、前記携帯端末に画像を送信する画像送信手段と、前記画像送信手段が送信した画像に対応する識別情報を前記画像配信装置に送信する識別情報送信手段と、を備え、前記画像配信装置は、前記識別情報に対応する課金情報を記憶する記憶手段と、前記画像送信端末から前記識別情報を受信すると、前記識別情報に対応する前記課金情報を更新する更新手段と、を備えることを特徴とする。


【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
請求項２記載の発明は、複数の場所に設置され且つ携帯端末に画像を送信する画像送信端末にネットワークを介して接続される画像配信装置であって、画像の識別情報に対応する課金情報を記憶する記憶手段と、前記画像送信端末が前記携帯端末に画像を送信した際に前記画像送信端末から送信される画像の識別情報を受信すると、前記識別情報に対応する前記課金情報を更新する課金情報更新手段と、を備えることを特徴とする。


【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００９９
【補正方法】変更
【補正の内容】
【００９９】
【発明の効果】
請求項１記載の発明の画像配信システムによれば、例えば既存のネットワークを利用して携帯情報端末の利用者に所望の広告内容を含んだ宣伝画像を配信できるため、紙製の宣伝資料を配布する場合に比べて、用紙代、印刷費、運搬費、保管費等のランニングコストを節約できる。また、宣伝主体となるスポンサーの要望、変更等に応じて容易に広告内容を更新できる。さらに、画像配信装置の管理者は携帯情報端末に対して配信された宣伝画像の数量や内容に応じてスポンサーの広告費用をオンラインで管理できるため、各画像送信端末毎に容易且つ効率的な課金を行うことが可能となる。


【手続補正１５】
【補正対象書類名】明細書
【補正対象項目名】０１００
【補正方法】削除
【補正の内容】
【手続補正１６】
【補正対象書類名】明細書
【補正対象項目名】０１０１
【補正方法】削除
【補正の内容】
【手続補正１７】
【補正対象書類名】明細書
【補正対象項目名】０１０２
【補正方法】変更
【補正の内容】
【０１０２】
請求項２記載の発明の画像配信装置によれば、例えば既存のネットワークを利用して携帯情報端末の利用者に所望の広告内容を含んだ広告宣伝画像を配信できる。このため、画像配信装置の管理者は紙製の宣伝資料を配布する場合に比べて、用紙代、印刷費、運搬費、保管費等のランニングコストを節約できる。また、画像配信装置の管理者は携帯情報端末に対して配信された広告宣伝画像の数量や内容に応じた課金情報の管理を効率的且つ容易に行うことができる。


【手続補正１８】
【補正対象書類名】明細書
【補正対象項目名】０１０３
【補正方法】削除
【補正の内容】
【手続補正１９】
【補正対象書類名】明細書
【補正対象項目名】０１０４
【補正方法】削除
【補正の内容】
【手続補正２０】
【補正対象書類名】明細書
【補正対象項目名】０１０５
【補正方法】削除
【補正の内容】
【手続補正２１】
【補正対象書類名】明細書
【補正対象項目名】０１０６
【補正方法】削除
【補正の内容】
【手続補正２２】
【補正対象書類名】明細書
【補正対象項目名】０１０７
【補正方法】削除
【補正の内容】
【手続補正２３】
【補正対象書類名】明細書
【補正対象項目名】０１０８
【補正方法】削除
【補正の内容】
【手続補正２４】
【補正対象書類名】明細書
【補正対象項目名】０１０９
【補正方法】変更
【補正の内容】
【０１０９】
請求項６記載の発明の記録媒体によれば、例えば既存のネットワークを利用して携帯情報端末の利用者に所望の広告内容を含んだ宣伝画像を配信するプログラムをコンピュータで実行することができる。このため、画像配信装置の管理者は紙製の宣伝資料を配布する場合に比べて、用紙代、印刷費、運搬費、保管費等のランニングコストを節約できる。また、画像配信装置の管理者は携帯情報端末に対して配信された宣伝画像の数量や内容に応じた課金情報の管理を効率的且つ容易に行うことができる。


【手続補正２５】
【補正対象書類名】明細書
【補正対象項目名】０１１０
【補正方法】削除
【補正の内容】